(57)【特許請求の範囲】
【請求項１】
筐体の内側に防水部材が設けられた電子装置であって、
前記防水部材は、
防水性を確保するための防水部分と、
配線を前記筐体に当接して導通させる導通部分と、
を備え、
前記導通部分は、前記防水部分により防水された場所に配設されたことを特徴とする電子装置。
【請求項２】
前記導通部分は、先端が平面で当接することを特徴とする請求項１記載の電子装置。
【請求項３】
前記防水部分は、先端に平面部がない凸型形状に形成されたことを特徴とする請求項１または２記載の電子装置。
【請求項４】
前記防水部分は、略楔形に形成されたことを特徴とする請求項１から３の何れか１項に記載の電子装置。
【請求項５】
前記防水部材は、
前記導通部分を備えた第１の防水部材と、
前記防水部分を備えた第２の防水部材とを備えて構成され、
前記第２の防水部材の前記防水部分と前記第１の防水部材とで前記配線を当接して挟持することで前記防水性が確保されるよう構成されたことを特徴とする請求項１から４の何れか１項に記載の電子装置。
【請求項６】
前記第２の防水部材は、前記第１の防水部材よりも剛性の低い材料で構成されたことを特徴とする請求項５記載の電子装置。
【請求項７】
前記筐体は、導通可能な材料が少なくとも一部を構成する別の筐体を含み、
前記防水部材は、前記筐体内に設けられた電子部品収容部分を防水するよう別の筐体の側壁近傍に設けられたことを特徴とする請求項１から６の何れか１項に記載の電子装置。
【発明の詳細な説明】
【技術分野】
【０００１】
本発明は、例えば折りたたみ式の携帯電話機など、防水対策が施され、装置内部に導通のための接点を備えた電子装置に関する。
【背景技術】
【０００２】
一般に、装置内部に導通のための接点を備えた電子装置では、その接点部分に導電性テープやガスケットを設けることで導通を確保している。
【０００３】
また、水のかかる場面での使用にも対応できるよう、パッキンにより防水性を持たせた製品が知られている。
【０００４】
また、本発明の関連技術として、フレキシブル配線板の接続端子部を、パッキンの凸状の圧縮部に配置し、プリント配線板がネジにより締め付けられることで、フレキシブル配線板の接続端子部がプリント配線板とパッキンとによって挟持され、プリント配線板がパッキンを押しつぶすと共に、フレキシブル配線板の接続端子部がプリント配線板に押圧接合されるようにしたものがある（例えば、特許文献１参照）。
【０００５】
また、本発明の関連技術として、導電性のあるパッキンでフレキシブルケーブルを挟み込むと共に、この導電パッキンが第１および第２のケースにおける導電面の間を導通させるようにしたものがある（例えば、特許文献２参照）。
【先行技術文献】
【特許文献】
【０００６】
【特許文献１】実開平５−４１１７３号公報
【特許文献２】特開２００４−２１４４４３号公報
【発明の概要】
【発明が解決しようとする課題】
【０００７】
しかしながら、上述のような電子装置では、組み立ての容易性や生産性の向上のため、十分な防水性を確保しながらも、可能な限り部品点数を削減することが求められている。
【０００８】
また、上述した特許文献１のものは、押圧接合による導電部分と防水部分とが同一となってしまっており、導通部分も水に接触してしまう虞があった。すなわち、防水性により水が浸入しないようにした場所で電気的に導通させることについてまで考慮されたものではなかった。
【０００９】
また、上述した特許文献２のものは、導電性のパッキンにより導通と防水性とを確保するものであり、導電性防水部材を必要とせずに一般的なパッキンで防水性を持たせることについてまで考慮されたものではなかった。
【００１０】
本発明はこのような状況に鑑みてなされたものであり、特殊な防水部材を必要とせず、可能な限り部品点数を削減して生産性を向上させながらも、防水性により水が浸入しないようにされた場所で電気的な導通を確保させることができ、安全性、信頼性に優れた電子装置を提供することを目的とする。
【課題を解決するための手段】
【００１１】
かかる目的を達成するために、本発明に係る電子装置は、筐体の内側に防水部材が設けられた電子装置であって、前記防水部材は、防水性を確保するための防水部分と、配線を前記筐体に当接して導通させる導通部分と、を備え、前記導通部分は、前記防水部分により防水された場所に配設されたことを特徴とする。
【発明の効果】
【００１２】
以上のように、本発明によれば、特殊な防水部材を必要とせず、可能な限り部品点数を削減して生産性を向上させることができる。
【００１３】
さらに、防水性により水が浸入しないようにされた場所で電気的な導通を確保させることができ、安全性、信頼性に優れた電子装置を提供することができる。
【図面の簡単な説明】
【００１４】
【図１】本発明の実施形態としての携帯電話機外観を示す図である。
【図２】該携帯電話機におけるＢ−Ｂ断面を示す部分断面図である。
【図３】該携帯電話機におけるＡ−Ａ断面を示す断面図である。
【発明を実施するための形態】
【００１５】
次に、本発明に係る電子装置を、携帯電話機に適用した一実施形態について、図面を用いて詳細に説明する。
【００１６】
図１に装置外観を示し、図２にＢ−Ｂ断面、図３にＡ−Ａ断面をそれぞれ示す。
【００１７】
本実施形態の携帯電話機は、図１〜図３に示すように、表示画面を備えた表示側筐体（第１の筐体）と、操作入力部を備えた操作側筐体（第２の筐体）とが、各筐体に配設されたヒンジ部により開閉可能に連結されて構成される。表示側筐体に収納される電子部品と、操作側筐体に収納される電子部品とは、フレキシブルケーブル３により接続される。
【００１８】
操作側筐体における電子部品が収納された装置本体部分と、その操作側筐体におけるヒンジ部との間には、防水のためのパッキン（防水部材）が設けられ、装置本体部分における防水性を確保している。このため、上述したフレキシブルケーブル３は、図２に示す上側パッキン２（第１の防水部材）の平面部分と、下側パッキン５（第２の防水部材）の押圧防水突起５１（押圧防水部分）とによって押圧されて挟持される構成となっており、この押圧による挟持部分で防水性が確保され、装置本体部分への水の浸入を防ぐ構造となっている。
【００１９】
上述した操作側筐体は、下側筐体６と筐体板金４とが一体化されたハイブリッド筐体と、上側筐体１とがネジ等で締め付けられ、押圧されて閉じられるようになっている。そして、上述した上側パッキン２は上側筐体１の内側の平面部分に、下側パッキン５は下側筐体６の内側の平面部分に、それぞれ固定される。
【００２０】
また、下側パッキン５の押圧防水突起５１は、先端に平面部のない凸型形状、より好ましくは図２に示す略楔形に形成される。このことにより、上側パッキン２と下側パッキン５との間での反力を大きくしすぎることなく、上側筐体１と下側筐体６とが上述のように閉じられるための押圧力だけで、押圧防水突起５１先端部分における応力を十分に大きく確保することができる。このため、押圧防水突起５１先端部分が確実にフレキシブルケーブル３の表面に圧着され、十分な防水性を確保できるようになっている。
【００２１】
さらに、下側パッキン５が、上側パッキン２よりも剛性の低い材料で構成されることにより、押圧防水突起５１先端部分がより確実にフレキシブルケーブル３の表面に圧着されることとなり、防水性をより確実なものとすることができる。
【００２２】
また、上側パッキン２は、上述のように下側パッキン５の押圧防水突起５１とでフレキシブルケーブル３を押圧して挟持することにより防水性を確保する平面部分よりも装置本体部分側、すなわち上記押圧により防水される場所に、導通のための押圧導通突起２１（押圧導通部分）が形成されている。
【００２３】
押圧導通突起２１は、先端に図２に示すような押圧用平面部が形成されている。そして、上側筐体１と筐体板金４とが上述のように閉じられる押圧力により、この先端の押圧用平面部がフレキシブルケーブル３を筐体板金４に押圧し、フレキシブルケーブル３と筐体板金４との間での電気的な導通を確保させる。このことにより、上述のようにして下側パッキン５の押圧防水突起５１での押圧により防水された場所で、押圧導通突起２１による押圧で確実に導通が確保され、筐体板金４がグランドとして安定的に機能できるようになっている。
【００２４】
図３はＡ−Ａ断面、すなわち、押圧導通突起２１でフレキシブルケーブル３と筐体板金４との間を導通させる位置における横断面を示す。この図３に示すように、上側パッキン２の押圧導通突起２１先端の押圧用平面部によりフレキシブルケーブル３が筐体板金４に押圧され、防水性が確保された場所での導通が確保される。
【００２５】
以上のように、上述した実施形態では、携帯電話機の電子部品収納部分（装置本体部分）へのヒンジ部からの水浸入を防止するためにパッキンを設置し、そのパッキンにより、フレキシブルケーブル３と筐体板金４との導通部における接圧を確保する構造を提供する。
【００２６】
すなわち、上述した実施形態における携帯電話機は、電気特性確保のため、フレキシブルケーブル３と筐体板金４での導通をとる構造となっており、その導通のための接圧が、押圧防水突起５１による防水性の確保と同時に、上側パッキン２の押圧導通突起２１先端の押圧用平面部により確保される構成となっている。
【００２７】
このように、上述した実施形態によれば、防水構造のためのパッキンで、導通のための接圧を確保する機能も兼ね備えることができる。このため、部品点数を削減でき、生産性向上させることができる。
【００２８】
さらに、押圧防水突起５１により防水性が確保された場所に、フレキシブルケーブル３と筐体板金４との導通部分が配設されるため、防水性により水が浸入しないようにされた場所で電気的な導通を確保させることができ、安全性、信頼性に優れた携帯電話機を提供することができる。
【００２９】
また、防水のための押圧防水突起５１と、導通を確保するための押圧導通突起２１とを、上述のようにそれぞれの目的に応じた異なる先端形状とすることにより、下側筐体６と筐体板金４とが一体化されたハイブリッド筐体と、上側筐体１とがネジ等で締め付けられて閉じられることによる限られた押圧力を有効に活用し、確実な防水性と、防水された場所での確実な電気的導通とを効果的に両立させることができる。
【００３０】
なお、上述した各実施形態は本発明の好適な実施形態であり、本発明はこれに限定されることなく、本発明の技術的思想に基づいて種々変形して実施することが可能である。
【００３１】
例えば、フレキシブルケーブル３と筐体板金４との導通確保のため、導電性テープを介する場合であっても、本発明は同様に適用可能である。
【００３２】
また、上述した実施形態では、表示側筐体に収納される電子部品と、操作側筐体に収納される電子部品とがフレキシブルケーブル３により接続されることとして説明したが、接続のための配線はこのものに限定されず、例えば単芯のケーブルや同軸ケーブルを含む配線であっても本発明は同様に適用することができる。
【００３３】
また、上述した実施形態では、下側筐体６と筐体板金４とが一体化されたハイブリッド筐体を用い、この筐体板金４とフレキシブルケーブル３との間で導通を確保する構成として説明したが、筐体の一部が導通可能な材料で構成されていればこうしたハイブリッド筐体を用いる構成に限定されず、例えば、蒸着などにより樹脂製筐体の内面に金属メッキをした構成であってもよい。また、下側筐体６と筐体板金４とが一体化されたハイブリッド筐体に替えて、筐体全体が金属製であってもよい。
【００３４】
また、上述した実施形態では携帯電話機として説明したが、部品点数の削減が求められて防水性を持たせる電子装置であればこのものに限定されず、例えばＰＤＡ（Personal Digital Assistant）、ノートＰＣ（Personal Computer）といった各種の携帯端末装置であっても、本発明は同様に適用することができる。
【符号の説明】
【００３５】
１    上側筐体
２    上側パッキン
２１    押圧導通突起
３    フレキシブルケーブル
４    筐体板金
５    下側パッキン
５１    押圧防水突起
６    下側筐体
【図１】
0005387739.tif 000002
【図２】
0005387739.tif 000003
【図３】
0005387739.tif 000004